【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
ネットワーク経路によって結合されたソースと受信機との間の前記ネットワーク経路を介したデータダウンロードを制御する方法であって、
前記ソースからメディアデータをダウンロードすることと、
前記メディアデータを前記受信機のプレゼンテーションバッファに記憶することと、
前記プレゼンテーションバッファの充満レベルを監視することであって、前記充満レベルは、前記プレゼンテーションバッファのどのような部分が、プレゼンテーション要素によってまだ消費されていないメディアデータを含むかを表す、監視することと、
前記充満レベルが高充満しきい値を上回る場合、前記ダウンロードを停止することと、
前記充満レベルが低充満しきい値を下回る場合、前記ダウンロードをリスタートすることと、
前記プレゼンテーション要素によってメディアデータが消費されると、前記充満レベルをアップデートすることと、
を備え、
複数のＴＣＰ接続を介してダウンロードが起こり、前記メディアデータダウンロードがリスタートされるときに使用中のいくつかのＴＣＰ接続がリセットされる、方法。
【請求項２】
前記充満レベルが、メモリ記憶容量の単位で測定される、請求項１に記載の方法。
【請求項３】
前記充満レベルが、プレゼンテーション時間の単位で測定される、請求項１に記載の方法。
【請求項４】
ダウンロードが推定ラウンドトリップ時間、ＥＲＴＴ、に基づき、前記メディアデータダウンロードがリスタートされるときに前記ＥＲＴＴがリセットされる、請求項１に記載の方法。
【請求項５】
前記高充満しきい値および前記低充満しきい値が時間とともに変わる、請求項１に記載の方法。
【請求項６】
ソースと受信機との間のネットワーク経路を介してデータをダウンロードする受信機であって、
前記ソースからダウンロードされる、ダウンロードされたメディアデータを記憶するプレゼンテーションバッファと、
前記プレゼンテーションバッファの充満レベルのためのストレージであって、前記充満レベルが、前記プレゼンテーションバッファのどのような部分が、プレゼンテーション要素によってまだ消費されていないメディアデータを含むかを表すストレージと、
ダウンロード要求を送るためのインターフェースであって、前記充満レベルが高充満しきい値を上回る場合、要求が送られず、前記充満レベルが低充満しきい値を下回る場合、要求が送られ、前記プレゼンテーション要素によってメディアデータが消費されると、前記充満レベルがアップデートされるインターフェースと、
を備え、
複数のＴＣＰ接続を介してダウンロードが起こり、前記メディアデータダウンロードがリスタートされるときに使用中のいくつかのＴＣＰ接続がリセットされる、受信機。
【請求項７】
前記充満レベルが、メモリ記憶容量の単位で測定される、請求項６に記載の受信機。
【請求項８】
前記充満レベルが、プレゼンテーション時間の単位で測定される、請求項６に記載の受信機。
【請求項９】
ダウンロードが推定ラウンドトリップ時間、ＥＲＴＴ、に基づき、前記メディアデータダウンロードがリスタートされるときに前記ＥＲＴＴがリセットされる、請求項６に記載の受信機。
【請求項１０】
前記高充満しきい値および前記低充満しきい値が時間とともに変わる、請求項６に記載の受信機。
【請求項１１】
請求項１〜６のいずれか１項に記載の方法を実行するための、プロセッサによって実行するための非一時的コンピュータ可読媒体。
【手続補正２】
【補正対象書類名】明細書
【補正対象項目名】０３２５
【補正方法】変更
【補正の内容】
【０３２５】
[0363]たとえば、本明細書で説明される処理は、ハードウェアコンポーネント、ソフトウェアコンポーネント、および／またはこれらの任意の組合せを使用して実施され得る。したがって、本明細書および図面は、限定的な意味ではなく例示的であると解釈されるべきである。しかしながら、特許請求の範囲において述べられるような本発明のより広い趣旨および範囲から逸脱することなく、様々な修正および変更を行うことができ、本発明は、以下の特許請求の範囲内にあるすべての修正と等価物とを包含することが意図されることは、明らかである。
以下に、出願当初の特許請求の範囲に記載された発明を付記する。
［Ｃ１］
ネットワーク経路によって結合されたソースと受信機との間の前記ネットワーク経路を介したデータダウンロードを制御する方法であって、
前記ソースからメディアデータをダウンロードすることと、
前記メディアデータを前記受信機のプレゼンテーションバッファに記憶することと、
前記プレゼンテーションバッファの充満レベルを監視することであって、前記充満レベルは、前記プレゼンテーションバッファのどのような部分が、プレゼンテーション要素によってまだ消費されていないメディアデータを含むかを表す、監視することと、
前記充満レベルが高充満しきい値を上回る場合、前記ダウンロードを停止することと、
前記充満レベルが低充満しきい値を下回る場合、前記ダウンロードをリスタートすることと、
前記プレゼンテーション要素によってメディアデータが消費されると、前記充満レベルをアップデートすることとを備える方法。
［Ｃ２］
前記充満レベルが、メモリ記憶容量の単位で測定される、上記Ｃ１に記載の方法。
［Ｃ３］
前記充満レベルが、プレゼンテーション時間の単位で測定される、上記Ｃ１に記載の方法。
［Ｃ４］
ダウンロードが推定ラウンドトリップ時間（「ＥＲＴＴ」）に基づき、前記メディアデータダウンロードがリスタートされるときに前記ＥＲＴＴがリセットされる、上記Ｃ１に記載の方法。
［Ｃ５］
複数のＴＣＰ接続を介してダウンロードが起こり、前記メディアデータダウンロードがリスタートされるときに使用中のいくつかのＴＣＰ接続がリセットされる、上記Ｃ１に記載の方法。
［Ｃ６］
前記高充満しきい値および前記低充満しきい値が時間とともに変わる、上記Ｃ１に記載の方法。
［Ｃ７］
ソースと受信機との間のネットワーク経路を介してデータをダウンロードする受信機であって、
前記ソースからダウンロードされる、ダウンロードされたメディアデータを記憶するプレゼンテーションバッファと、
前記プレゼンテーションバッファの充満レベルのためのストレージであって、前記充満レベルが、前記プレゼンテーションバッファのどのような部分が、プレゼンテーション要素によってまだ消費されていないメディアデータを含むかを表すストレージと、
ダウンロード要求を送るためのインターフェースであって、前記充満レベルが高充満しきい値を上回る場合、要求が送られず、前記充満レベルが低充満しきい値を下回る場合、要求が送られ、前記プレゼンテーション要素によってメディアデータが消費されると、前記充満レベルがアップデートされるインターフェースとを備える受信機。
［Ｃ８］
前記充満レベルが、メモリ記憶容量の単位で測定される、上記Ｃ７に記載の受信機。
［Ｃ９］
前記充満レベルが、プレゼンテーション時間の単位で測定される、上記Ｃ７に記載の受信機。
［Ｃ１０］
ダウンロードが推定ラウンドトリップ時間（「ＥＲＴＴ」）に基づき、前記メディアデータダウンロードがリスタートされるときに前記ＥＲＴＴがリセットされる、上記Ｃ７に記載の受信機。
［Ｃ１１］
複数のＴＣＰ接続を介してダウンロードが起こる、上記Ｃ７に記載の受信機。
［Ｃ１２］
前記高充満しきい値および前記低充満しきい値が時間とともに変わる、上記Ｃ７に記載の受信機。
［Ｃ１３］
ネットワーク経路によって結合されたソースと受信機との間の前記ネットワーク経路を介したデータダウンロードを制御するための、受信機のプロセッサによって実行するための非一時的コンピュータ可読媒体であって、
前記ソースからメディアデータをダウンロードするためのプログラムコードと、
前記メディアデータを、前記受信機のプレゼンテーションバッファに記憶するためのプログラムコードと、
前記プレゼンテーションバッファの充満レベルを監視するためのプログラムコードであって、前記充満レベルが、前記プレゼンテーションバッファのどのような部分が、プレゼンテーション要素によってまだ消費されていないメディアデータを含むかを表す、プログラムコードと、
前記充満レベルが高充満しきい値を上回る場合、前記ダウンロードを停止するためのプログラムコードと、
前記充満レベルが低充満しきい値を下回る場合、前記ダウンロードをリスタートするためのプログラムコードと、
前記プレゼンテーション要素によってメディアデータが消費されると、前記充満レベルをアップデートするためのプログラムコードと、を備えるプログラムコードを有する、非一時的コンピュータ可読媒体。
［Ｃ１４］
前記充満レベルがメモリ記憶容量の単位、および／またはプレゼンテーション時間の単位で測定される、上記Ｃ１３に記載の非一時的コンピュータ可読媒体。
［Ｃ１５］
推定ラウンドトリップ時間（「ＥＲＴＴ」）に基づいてダウンロードするためのプログラムコードをさらに備え、前記メディアデータダウンロードがリスタートされるときに前記ＥＲＴＴがリセットされる、上記Ｃ１３に記載の非一時的コンピュータ可読媒体。
［Ｃ１６］
複数のＴＣＰ接続を介してダウンロードするためのプログラムコードと、前記メディアデータダウンロードがリスタートされるときに、使用中のいくつかのＴＣＰ接続をリセットするためのプログラムコードとをさらに備える、上記Ｃ１３に記載の非一時的コンピュータ可読媒体。
［Ｃ１７］
前記高充満しきい値および前記低充満しきい値が時間とともに変わる、上記Ｃ１３に記載の非一時的コンピュータ可読媒体。